(57)【特許請求の範囲】
【請求項１】
（Ａ）塩化ベンザルコニウム及び塩化ベンゼトニウムよりなる群から選択される少なくとも１種、（Ｂ）エタノール、（Ｃ）水、及び（Ｄ）ジメチルエーテルを含有する空間殺菌用組成物。
【請求項２】
（Ａ）成分０．０１〜０．８重量％、（Ｂ）成分８〜６４重量％、（Ｃ）成分３．２〜４７．９９重量％、及び（Ｄ）成分２０〜８０重量％の割合で含有する、請求項１に記載の空間殺菌用組成物。
【請求項３】
請求項１又は２に記載の空間殺菌用組成物を空間内に拡散させることを特徴とする、空間内の殺菌方法。
【発明の詳細な説明】
【技術分野】
【０００１】
本発明は、簡便に使用でき、浮遊菌に対して優れた殺菌作用を発揮する空間殺菌用組成物に関する。また、本発明は、空間殺菌方法に関する。
【背景技術】
【０００２】
産業活動や日常生活を営む空間の衛生状態は、人間の健康に影響を及ぼすため、常に良好であることが求められる。特に、トイレ、玄関、台所、居室等の居住空間や、病院、飲食店、製薬工場、食品加工工場等の施設内の空間、或いは車、航空機、電車等の車両内の空間では、高い衛生状態を保持することが望まれている。
【０００３】
近年、空間内の衛生状態を良好に保つ手段として、各種の殺菌成分で空間内を殺菌する方法が提案されている。例えば、特定湿度条件下で空間内にオゾンガスを空間内に流入させる方法（特許文献１参照）や、次亜塩素酸を含む薬液を空間内に噴霧する方法（特許文献２参照）等が報告されている。しかしながら、前者の方法では、オゾンガスを空間内に流入させるための専用装置が必要であり、空間内の殺菌を簡便に行うことができないという欠点がある。また、後者の方法では、浮遊菌に対する殺菌効果が不十分であるという問題点がある。
【０００４】
このような従来技術を背景として、簡便な方法で使用でき、しかも浮遊菌に対して優れた殺菌作用を発揮する空間殺菌剤の開発が望まれていた。
【０００５】
ところで、従来、塩化ベンザルコニウム、塩化ベンゼトニウム並びにエタノールには、殺菌作用があることが知られており、殺菌成分として各種の製品に配合して使用されている。しかしながら、これらの成分の殺菌作用を増強させる方法、特に空間浮遊菌に対する殺菌作用を増強させる方法については、これまで報告されていない。
【特許文献１】特開平５−１４８１１４号公報
【特許文献２】特開平１１−１６９４４１号公報
【発明の開示】
【発明が解決しようとする課題】
【０００６】
本発明の目的は、上記従来技術の課題を解決することである。詳細には、本発明は簡便に使用でき、浮遊菌に対して優れた殺菌作用を発揮する空間殺菌用組成物を提供することを目的とする。また、本発明は、当該空間殺菌用組成物を用いて空間を殺菌する方法を提供することを目的とする。
【課題を解決するための手段】
【０００７】
本発明者等は、上記課題を解決すべく鋭意検討したところ、塩化ベンザルコニウム及び／又は塩化ベンゼトニウムと共に、エタノール、水及びジメチルエーテルを含有する組成物は、殺菌作用が相乗的に増強されており、特に空間内の浮遊菌に対して優れた殺菌作用を発揮することを見出した。本発明は、かかる知見に基づいて、更に検討を重ねることによって完成したものである。
【０００８】
即ち、本発明は、下記に掲げる空間殺菌用組成物である：
項１．  （Ａ）塩化ベンザルコニウム及び塩化ベンゼトニウムよりなる群から選択される少なくとも１種、（Ｂ）エタノール、（Ｃ）水、及び（Ｄ）ジメチルエーテルを含有する空間殺菌用組成物。
項２．  （Ａ）成分０．０１〜０．８重量％、（Ｂ）成分８〜６４重量％、（Ｃ）成分３．２〜４７．９９重量％、及び（Ｄ）成分２０〜８０重量％の割合で含有する、項１に記載の空間殺菌用組成物。
項３．  （Ａ）成分０．０５〜０．８重量％、（Ｂ）成分１５〜６０重量％、（Ｃ）成分５〜４０重量％、及び（Ｄ）成分２５〜７０重量％の割合で含有する、項１又は２に記載の空間殺菌用組成物。
項４．  （Ａ）成分０．１〜０．８重量％、（Ｂ）成分２０〜５０重量％、（Ｃ）成分１０〜３０重量％、及び（Ｄ）成分３０〜６０重量％の割合で含有する、項１乃至３のいずれかに記載の空間殺菌用組成物。
【０００９】
また、本発明は、下記に掲げる空間殺菌方法である：
項５．  項１乃至４のいずれかに記載の空間殺菌用組成物を空間内に拡散させることを特徴とする、空間内の殺菌方法。
【００１０】
以下、本発明を詳細に説明する。本発明の空間殺菌用組成物は、（Ａ）塩化ベンザルコニウム及び塩化ベンゼトニウムよりなる群から選択される少なくとも１種、（Ｂ）エタノール、（Ｃ）水、及び（Ｄ）ジメチルエーテルを含有することを特徴とするものである。
【００１１】
（Ａ）成分として、塩化ベンザルコニウム及び塩化ベンゼトニウムの内、いずれか少なくとも１種を使用する。好ましくは塩化ベンザルコニウムである。本発明の空間殺菌用組成物中の（Ａ）成分の配合割合としては、（Ａ）成分の総量で、通常０．０１〜０．８重量％、好ましくは０．０５〜０．８重量％、更に好ましくは０．１〜０．８重量％が例示される。かかる範囲よりも高い割合で（Ａ）成分を使用しても優れた殺菌作用が発揮できるため、（Ａ）成分を上記割合よりも多く含有することを妨げるものではないが、本発明の空間殺菌用組成物では、各成分の相互作用により殺菌作用が相乗的に高められるため、上記割合で（Ａ）成分を含有していれば、優れた殺菌作用を発揮することができる。
【００１２】
（Ｂ）であるエタノールは、空間殺菌用組成物中に、通常８〜６４重量％、好ましくは１５〜６０重量％、更に好ましくは２０〜５０重量％の割合で配合される。
【００１３】
（Ｃ）成分である水は、空間殺菌用組成物中に、通常３．２〜４７．９９重量％、好ましくは５〜４０重量％、更に好ましくは１０〜３０重量％の割合で配合される。
【００１４】
（Ｄ）成分であるジエチルエーテルは、空間殺菌用組成物中に、通常２０〜８０重量％重量％、好ましくは２５〜７０重量％、更に好ましくは３０〜６０重量％の割合で配合される。
【００１５】
また、本発明の空間殺菌用組成物は、上記（Ａ）〜（Ｄ）成分の各配合割合を充足し、更に（Ｂ）成分１重量部に対して、（Ｃ）成分が例えば０．２５〜１．５重量部、好ましくは０．４〜１．２重量部、更に好ましくは０．６〜１．０重量部となる割合を満たしていれば、一層殺菌作用が増強され、優れた殺菌効果が奏される。
【００１６】
また、本発明の空間殺菌用組成物は、上記（Ａ）〜（Ｄ）成分の各配合割合を充足し、更に（Ａ）、（Ｂ）及び（Ｃ）成分の総重量１重量部に対して、（Ｄ）成分が、例えば０．２５〜４重量部、好ましくは０．４〜２重量部、更に好ましくは０．５〜１重量部となる割合を満たしていれば、より一層優れた殺菌効果が奏される。
【００１７】
本発明の空間殺菌用組成物が有する格別の殺菌作用は、上記（Ａ）〜（Ｄ）成分の内のいずれか一つの成分でも欠いている組成物では得られず、上記（Ａ）〜（Ｄ）成分が組成物中で一体となって共存することによって奏されるものである。
【００１８】
また、上記（Ｄ）成分は、上記格別の効果に寄与するだけでなく、容器に充填された当該空間殺菌用組成物をエアゾール状で噴霧又は噴射して空間内に分散させる際の噴射剤としての役割をも果たしている。即ち、本発明の空間殺菌用組成物は、必須成分として上記（Ｄ）成分を含有することによって、エアゾールの形態を備えている。
【００１９】
本発明の空間殺菌組成物には、上記（Ａ）〜（Ｄ）成分に加えて、他の殺菌成分や消毒成分を含有していてもよい。また、前述するように、上記（Ｄ）成分が、組成物をエアゾール状にする噴射剤としての役割も果たしているため、本発明の空間殺菌用組成物には、他の噴射剤成分を配合しなくてもよいが、本発明の効果に悪影響を及ぼさない限り、液化石油ガス（例えば、エタン、プロパン、エチレン、イソブタン、ノルマルブタン、プロピレン等）、窒素ガス、炭酸ガス、フロンガス等の噴射剤成分を更に含んでいてもよい。
【００２０】
また、本発明の空間殺菌用組成物には、上記（Ａ）〜（Ｄ）成分の他に、本発明の効果を妨げないことを限度として、界面活性剤、ｐＨ調整剤、緩衝剤、香料、消臭剤、他の有機溶剤等が更に配合されていてもよい。
【００２１】
本発明の空間殺菌用組成物の調製方法は、特に制限されず、例えば、上記（Ａ）〜（Ｄ）成分及び必要に応じて他成分を混合して耐圧性容器に充填する方法や、上記（Ａ）〜（Ｃ）成分及び必要に応じて他成分（噴射成剤分以外）を混合してこれを耐圧性容器に充填し、次いで当該容器内に上記（Ｄ）成分及び必要に応じて他の噴射剤成分を加圧充填する方法等を挙げることができる。上記耐圧性容器としては、本発明の空間殺菌用組成物を充填し収容するのに耐え得る強度を備えていればよく、例えば、エアゾール組成物を収容する容器として、通常使用されている缶、瓶又は樹脂製の容器が挙げられる。
【００２２】
本発明の空間殺菌用組成物は、空間内に拡散されることにより使用され、該空間を殺菌することができる。本発明の空間殺菌用組成物は、エアゾール形態の組成物であるので、収容された容器から、殺菌対象の空間内に噴霧又は噴射されることにより、該空間殺菌用組成物が空間内に霧状で拡散される。
【００２３】
本発明の空間殺菌用組成物が空間内に拡散される際の霧状粒子の粒子径については、特に制限されない。
【００２４】
本発明の空間殺菌用組成物を空間内に拡散させる量については、該組成物の種類や粒子径、殺菌対象となる空間の種類等によって異なり、一律に規定することはできないが、殺菌対象の空間１ｍ3あたり、該空間殺菌用組成物が通常１００〜６０００ｍｇ、好ましくは３００〜４０００ｍｇ、更に好ましくは５００〜２０００ｍｇとなる量を挙げることができる。
【００２５】
空間殺菌用組成物の噴霧・噴射状態は、容器内の圧力や容器のバルブの噴射孔径等を適宜設定することにより調整できる。
【００２６】
本発明の空間殺菌用組成物は、屋内空間又は屋外空間の別を問わず、空間内の浮遊菌を低減乃至死滅させる目的で使用される。本発明の効果をより効果的に発揮させるという観点から、適用対象となる空間は屋内空間であることが望ましい。
【００２７】
本発明の空間殺菌用組成物の好適な適用対象空間の一例として、トイレ、玄関、台所、居室等の居住空間；病院、飲食店、製薬工場、食品加工工場等の施設内の空間；車、航空機、電車等の車両内の空間等が例示される。
【００２８】
また、本発明の空間殺菌用組成物は、空間内に浮遊している菌に対して、優れた殺菌作用を発揮するが、該空間殺菌用組成物が空間内に拡散されることによって、同時に、該空間の壁、天井、床に付着している菌に対しても、殺菌作用を発揮する。
【００２９】
本発明の空間殺菌用組成物は、細菌、ウイルス、カビ等を含む広範な微生物に対して殺菌作用を発揮できる。特に、空間には、例えば、Acremonium sp、Cladosporium cladosporioides、Aspergillus versicolor等の微生物が浮遊していることが知られており、本発明の空間殺菌用組成物は、これらの空間浮遊微生物に対して優れた殺菌効果を奏する。
【００３０】
また、他の観点から、本発明は、上記（Ａ）成分、（Ｂ）成分及び（Ｃ）成分を含有し、殺菌作用を有する組成物に、上記（Ｄ）成分を配合することにより、該組成物の殺菌作用を増強すること、特に空間内の浮遊菌に対する殺菌作用を増強することができる。従って、本発明は、更に、以下に示す殺菌作用の増強方法を提供する。なお、下記発明において、使用する各成分、その配合割合、各成分の配合方法、殺菌対象空間、殺菌対象の菌等については、上記殺菌剤組成物の場合と同様である。
（１）  （Ａ）塩化ベンザルコニウム及び塩化ベンゼトニウムよりなる群から選択される少なくとも１種、（Ｂ）エタノール、及び（Ｃ）水を含有する殺菌剤組成物に、（Ｄ）ジメチルエーテルを配合することを特徴とする、上記殺菌剤組成物の殺菌作用の増強方法。
（２）  最終濃度が、（Ａ）成分０．０１〜０．８重量％、（Ｂ）成分８〜６４重量％、（Ｃ）成分３．２〜４７．９９重量％、及び（Ｄ）成分２０〜８０重量％となるように、（Ａ）、（Ｂ）及び（Ｃ）成分を含有する殺菌剤組成物に（Ｄ）成分を配合する、（１）記載の殺菌作用の増強方法。
（３）  殺菌剤組成物中に、（Ｃ）成分が（Ｂ）成分１重量部に対して０．２５〜１．５重量部となる割合で含有されている、（１）又は（２）に記載の殺菌作用の増強方法。
（４）  （Ａ）、（Ｂ）及び（Ｃ）成分の総重量１重量部に対して、（Ｄ）成分を０．２５〜４重量部の割合で配合する、（１）乃至（３）のいずれかに記載の殺菌作用の増強方法。
（５）  増強対象となる殺菌作用が、空間内の浮遊菌に対する殺菌作用である、（１）乃至（４）のいずれかに記載の殺菌作用の増強方法。
【発明の効果】
【００３１】
本発明の空間殺菌用組成物によれば、空間内に浮遊する細菌に対する殺菌作用が顕著に高められているので、空間内の細菌を効果的に死滅させて、空間を衛生的に保つことができる。
【００３２】
また、本発明の空間殺菌用組成物は、人体に対する安全性も備えているので、屋内空間において問題なく使用できる。
【００３３】
更に、本発明の空間殺菌用組成物は、エアゾール形態の組成物であり、容器内から吐出されて空間内に霧状に拡散するので、特段の装置を用いることなく、簡便に使用できる。
【００３４】
そして更に、本発明の空間殺菌用組成物は、易揮発性であるので、該組成物を空間内に拡散した後に、水滴が壁、床又は天井に残留することがない。そのため、本発明の空間殺菌用組成物によれば、極めて簡便な方法で空間内の衛生状態を良好に保つことができる。
【発明を実施するための最良の形態】
【００３５】
以下、実施例を挙げて本発明を更に詳しく説明するが、本発明は以下の実施例等により何ら限定されるものではない。なお、以下の実施例において、表中の成分の欄の数値の単位は重量％である。
【００３６】
実施例１−１１
所定量の塩化ベンザルコニウム、エタノール及び蒸留水を混合して、これを耐圧容器に充填し、更に所定量のジメチルエーテル（ＤＭＥ）を該容器に充填することによって、表１に示す処方の空間殺菌用組成物（実施例１−９）を製造した。
【００３７】
得られた空間殺菌用組成物の空間内浮遊細菌に対する殺菌作用を以下の方法で評価した。
＜殺菌作用評価方法＞
１．  １０００Ｌの密閉空間内の浮遊細菌数を測定する。
２．  次いで、その空間に空間殺菌用組成物を２秒間噴射（噴射量１g）して、１分間静置した。
３．  再度、空間内の浮遊細菌数を測定する。
４．  下記式に従って、空間殺菌用組成物の殺菌率を算出する。
【００３８】
【数１】
0004632676.tif 000002
なお、浮遊細菌の測定は、エアサンプラー（Biotest社製RCS High Flow）に一般細菌用培地（Biotest社製 アガーストリップTC）を装着して、上記密閉空間の中央下部にエアサンプラーを設置し、５００Lのエアーをサンプリングした後、該培地を３０℃恒温槽に３日間置いて、生育菌数を計測することにより行った。
【００３９】
また、比較のため、表２に示す空間殺菌用組成物（比較例１−４）についても、同様の方法で調製して、空間内浮遊細菌に対する殺菌作用を評価した。なお、表２中のLPGは、プロパンガスを意味する。
【００４０】
得られた結果を表１及び２に併せて示す。この結果、塩化ベンザルコニウム、エタノール、水及びジメチルエーテルの４成分を組み合わせて空間殺菌用組成物を調製することによって、空間に浮遊する菌に対する殺菌効果が顕著に高められることが確認された。特に、塩化ベンザルコニウム、エタノール及び水からなる組成物の殺菌作用が、ジメチルエーテルにより著しく高められることが確認された。
【００４１】
【表１】
0004632676.tif 000003
【００４２】
【表２】
0004632676.tif 000004
実施例１０−１３
表３に示す組成の空間殺菌用組成物を調製し、その殺菌作用について評価した。なお、調製方法及び殺菌作用の評価方法は、上記実施例１−９場合と同様である。
【００４３】
得られた結果を表３に併せて示す。この結果、実施例１０−１３の空間殺菌用組成物についても、優れた殺菌作用があることが確認された。
【００４４】
【表３】
0004632676.tif 000005
実施例１４−１７
表４に示す組成の空間殺菌用組成物を調製した（実施例１４−１７）。
【００４５】
【表４】
0004632676.tif 000006